(57)【要約】【課題】送電鉄塔の巡視を効率よく円滑に行えるようにする。【解決手段】携帯情報端末２００に、ＧＰＳ衛星から送られてくる電波を受信して現在位置を算出するＧＰＳ受信部２１３と、携帯情報端末２００の動作モードを、表示装置２１８に送電鉄塔２に関する情報を表示するモードである鉄塔モード、又は表示装置２１８に巡視路に関する情報を表示するモードである巡視路モードのうちのいずれかのモードに切り替えるモード切替処理部２２６とを設け、メモリ２１２に当日巡視予定の送電鉄塔２の位置を記憶させ、モード切替処理部２２６が、ＧＰＳ受信部２１３によって受信された信号に基づいて算出される現在位置と、記憶している各送電鉄塔２の位置とを比較することにより動作モードを巡視路モード又は鉄塔モードに自動的に切り替えるようにする。【選択図】図８Ａ
2008020614.tif 000002
【特許請求の範囲】
【請求項１】
送電鉄塔の巡視支援方法であって、
ＣＰＵ、メモリ、入力装置、及び表示装置を有する携帯情報端末に、ＧＰＳ衛星から送られてくる電波を受信して現在位置を算出するＧＰＳ受信部と、当該携帯情報端末の動作モードを、前記表示装置に送電鉄塔に関する情報を表示するモードである鉄塔モード、又は前記表示装置に巡視路に関する情報を表示するモードである巡視路モードのうちのいずれかのモードに切り替えるモード切替処理部とを設け、
前記メモリに当日巡視予定の送電鉄塔の位置を記憶させ、
前記モード切替処理部が、前記ＧＰＳ受信部によって受信された信号に基づいて算出される前記現在位置と、記憶している各前記送電鉄塔の位置とを比較することにより前記現在位置から所定距離内に前記巡視予定の送電鉄塔が存在するかどうかを判断し、存在しない場合には前記動作モードを前記巡視路モードに、存在する場合には前記動作モードを前記鉄塔モードに切り替えるようにすること
を特徴とする送電鉄塔の巡視支援方法。
【請求項２】
請求項１に記載の送電鉄塔の巡視支援方法であって、
前記モード切替処理部は、前記現在位置を算出することができない場合に、前記巡視路モードと前記鉄塔モードのいずれかの選択を促す画面を前記表示装置に表示し、前記動作モードを、前記入力装置に対する操作入力によって選択された動作モードに切り替えること
を特徴とする送電鉄塔の巡視支援方法。
【請求項３】
送電鉄塔の巡視支援方法であって、
ＣＰＵ、メモリ、入力装置、及び表示装置を有する携帯情報端末に、ＩＣタグに記憶されている識別子を読み出すリーダライタと、当該携帯情報端末の動作モードを、前記表示装置に送電鉄塔に関する情報を表示するモードである鉄塔モード、又は前記表示装置に巡視路に関する情報を表示するモードである巡視路モードのうちのいずれかのモードに切り替えるモード切替処理部とを設け、
前記メモリに当日巡視予定の送電鉄塔に付与されている識別子を記憶させ、
前記モード切替処理部が、前記リーダライタによって読み出された前記識別子を、前記メモリに記憶されている前記当日巡視予定の送電鉄塔に付与されている識別子と比較することにより識別子が一致する送電鉄塔が存在するかどうかを判断し、存在しない場合には前記動作モードを前記巡視路モードに、存在する場合には前記動作モードを前記鉄塔モードに切り替えるようにすること
を特徴とする送電鉄塔の巡視支援方法。
【請求項４】
請求項３に記載の送電鉄塔の巡視支援方法であって、
前記モード切替処理部は、前記識別子を読み出すことができない場合に、前記巡視路モードと前記鉄塔モードのいずれかの選択を促す画面を前記表示装置に表示し、前記動作モードを、前記入力装置に対する操作入力によって選択された動作モードに切り替えること
を特徴とする送電鉄塔の巡視支援方法。
【請求項５】
送電鉄塔の巡視支援方法であって、
ＣＰＵ、メモリ、入力装置、及び表示装置を有する携帯情報端末に、送電鉄塔に設けられている無線装置と無線ＬＡＮによる通信が可能な無線通信インタフェースと、当該携帯情報端末の動作モードを、前記表示装置に送電鉄塔に関する情報を表示するモードである鉄塔モード、又は前記表示装置に巡視路に関する情報を表示するモードである巡視路モードのうちのいずれかのモードに切り替えるモード切替処理部とを設け、
前記メモリに当日巡視予定の送電鉄塔に設けられている無線装置の無線ＬＡＮの端末ＩＤを記憶させ、
前記モード切替処理部が、前記無線装置から取得した端末ＩＤを、前記メモリに記憶されている前記当日巡視予定の送電鉄塔に付与されている識別子と比較し、前記端末ＩＤが一致する無線装置が存在する場合はさらに前記無線装置から受信した信号の強度を所定値と比較し、所定値未満である場合には当該携帯情報端末の前記動作モードを前記巡視路モードに、所定値以上である場合には当該携帯情報端末の動作モードを前記鉄塔モードに切り替えるようにすること
を特徴とする送電鉄塔の巡視支援方法。
【請求項６】
請求項５に記載の送電鉄塔の巡視支援方法であって、
前記モード切替処理部は、前記端末ＩＤを取得することができない場合に、前記巡視路モードと前記鉄塔モードのいずれかの選択を促す画面を前記表示装置に表示し、前記動作モードを、前記入力装置に対する操作入力によって選択された動作モードに切り替えること
を特徴とする送電鉄塔の巡視支援方法。
【請求項７】
送電鉄塔の巡視に用いられる携帯情報端末であって、
ＣＰＵ、メモリ、入力装置、及び表示装置と、
ＧＰＳ衛星から送られてくる電波を受信して現在位置を算出するＧＰＳ受信部と、
当該携帯情報端末の動作モードを、前記表示装置に送電鉄塔に関する情報を表示するモードである鉄塔モード、又は前記表示装置に巡視路に関する情報を表示するモードである巡視路モードのうちのいずれかのモードに切り替えるモード切替処理部と、
を有し、
前記メモリには当日巡視予定の送電鉄塔の位置が記憶され、
前記モード切替処理部は、前記ＧＰＳ受信部によって受信された信号に基づいて算出される前記現在位置と、記憶している各前記送電鉄塔の位置とを比較することにより前記現在位置から所定距離内に前記巡視予定の送電鉄塔が存在するかどうかを判断し、存在しない場合には前記動作モードを前記巡視路モードに、存在する場合には前記動作モードを前記鉄塔モードに切り替えること
を特徴とする携帯情報端末。
【請求項８】
送電鉄塔の巡視に用いられる携帯情報端末であって、
ＣＰＵ、メモリ、入力装置、及び表示装置と、
ＩＣタグに記憶されている識別子を読み出すリーダライタと、
当該携帯情報端末の動作モードを、前記表示装置に送電鉄塔に関する情報を表示するモードである鉄塔モード、又は前記表示装置に巡視路に関する情報を表示するモードである巡視路モードのうちのいずれかのモードに切り替えるモード切替処理部と、
を有し、
前記メモリには当日巡視予定の送電鉄塔に付与されている識別子が記憶され、
前記モード切替処理部は、前記リーダライタによって読み出された前記識別子を、前記メモリに記憶されている前記当日巡視予定の送電鉄塔に付与されている識別子と比較することにより識別子が一致する送電鉄塔が存在するかどうかを判断し、存在しない場合には前記動作モードを前記巡視路モードに、存在する場合には前記動作モードを前記鉄塔モードに切り替えること
を特徴とする携帯情報端末。
【請求項９】
送電鉄塔の巡視に用いられる携帯情報端末であって、
ＣＰＵ、メモリ、入力装置、及び表示装置と、
送電鉄塔に設けられている無線装置と無線ＬＡＮによる通信が可能な無線通信インタフェースと、
当該携帯情報端末の動作モードを、前記表示装置に送電鉄塔に関する情報を表示するモードである鉄塔モード、又は前記表示装置に巡視路に関する情報を表示するモードである巡視路モードのうちのいずれかのモードに切り替えるモード切替処理部と、
を有し、
前記メモリには当日巡視予定の送電鉄塔に設けられている無線装置の端末ＩＤが記憶され、
前記モード切替処理部は、前記無線装置から取得した端末ＩＤを、前記メモリに記憶されている前記当日巡視予定の送電鉄塔に付与されている識別子と比較し、前記端末ＩＤが一致する無線装置が存在する場合にはさらに前記無線装置から受信した信号の強度を所定値と比較し、所定値未満である場合には当該携帯情報端末の前記動作モードを前記巡視路モードに、所定値以上である場合には当該携帯情報端末の動作モードを前記鉄塔モードに切り替えること
を特徴とする携帯情報端末。
【発明の詳細な説明】
【技術分野】
【０００１】
本発明は、送電鉄塔の巡視支援方法及び携帯情報端末に関し、とくに送電鉄塔の巡視を効率よく円滑に行えるようにする技術に関する。
【背景技術】
【０００２】
電力会社は、自社が管理する送電鉄塔について巡視を行っている。このような巡視は、通常、平野部や山間部に設置されている送電鉄塔に沿って巡視員が徒歩や車輌で移動することにより行われる。ここで巡視の対象は、送電鉄塔に関するものと、巡視路に関するものとの２つに大別することができる。
【特許文献１】特開２００５−２７５１８８号公報
【特許文献２】特開平１０−２６７９８５号公報
【特許文献３】特開２００５−２７８３６７号公報
【非特許文献１】角田良明、外１名、”アドホックネットワークの自律分散クラスタリングと階層ルーティング”、２００４年４月２６日、第１７回  回路とシステム、軽井沢ワークショップ
【発明の開示】
【発明が解決しようとする課題】
【０００３】
ところで、昨今、このような巡視の簡便化や効率化を目的として、巡視員に携帯情報端末を持たせ、この携帯情報端末を用いて巡視に必要な地図情報や鉄塔情報、巡視路情報等の閲覧や巡視結果の記録等、巡視に関する情報を管理することが行われている（例えば、特許文献１を参照）。
【０００４】
ここで巡視に関する情報の種類及び項目は多岐にわたり、これらを携帯情報端末の液晶ディスプレイなどの表示装置に一度に表示することはできない。このため、巡視員は目的とする情報を表示させるために携帯情報端末に対して小さなボタンやタッチパネルなどによって煩雑なボタン操作や入力操作を強いられ、とくに徒歩で山中などを移動しながら細かい操作をすることは多大な負担となり巡視の妨げとなる。
【０００５】
この発明は、このような事情に鑑みてなされたもので、巡視を効率よく円滑に行うことが可能な送電鉄塔の巡視支援方法及び携帯情報端末を提供することを目的とする。
【課題を解決するための手段】
【０００６】
上記目的を達成するための、本発明のうち請求項１に記載の発明は、送電鉄塔の巡視支援方法であって、ＣＰＵ、メモリ、入力装置、及び表示装置を有する携帯情報端末に、ＧＰＳ衛星から送られてくる電波を受信して現在位置を算出するＧＰＳ受信部と、当該携帯情報端末の動作モードを、前記表示装置に送電鉄塔に関する情報を表示するモードである鉄塔モード、又は前記表示装置に巡視路に関する情報を表示するモードである巡視路モードのうちのいずれかのモードに切り替えるモード切替処理部とを設け、前記メモリに当日巡視予定の送電鉄塔の位置を記憶させ、前記モード切替処理部が、前記ＧＰＳ受信部によって受信された信号に基づいて算出される前記現在位置と、記憶している各前記送電鉄塔の位置とを比較することにより前記現在位置から所定距離内に前記巡視予定の送電鉄塔が存在するかどうかを判断し、存在しない場合には前記動作モードを前記巡視路モードに、存在する場合には前記動作モードを前記鉄塔モードに切り替えるようにすることとする。
【０００７】
本発明によれば、ＧＰＳ受信部によって受信された信号に基づいて算出される現在位置と、記憶している送電鉄塔の位置との関係により、携帯情報端末の動作モードが自動的に切り替わる。このため、巡視員は煩雑な操作を強いられることなく、携帯情報端末への情報の入力や携帯情報端末を利用した情報の参照を行うことができ、巡視を効率よく円滑に行うことが可能となる。
【０００８】
本発明のうち請求項２に記載の発明は、請求項１に記載の送電鉄塔の巡視支援方法であって、前記モード切替処理部は、前記現在位置を算出することができない場合に、前記巡視路モードと前記鉄塔モードのいずれかの選択を促す画面を前記表示装置に表示し、前記動作モードを、前記入力装置に対する操作入力によって選択された動作モードに切り替えることとする。
【０００９】
このように、ＧＰＳ衛星から送られてくる電波を受信できない場合など、現在位置を算出することができない場合には、表示装置に動作モードの選択を促す画面が表示されるので、巡視員は希望する適切な動作モードを手動で選択することができる。
【００１０】
本発明のうち請求項３に記載の発明は、送電鉄塔の巡視支援方法であって、ＣＰＵ、メモリ、入力装置、及び表示装置を有する携帯情報端末に、ＩＣタグに記憶されている識別子を読み出すリーダライタと、当該携帯情報端末の動作モードを、前記表示装置に送電鉄塔に関する情報を表示するモードである鉄塔モード、又は前記表示装置に巡視路に関する情報を表示するモードである巡視路モードのうちのいずれかのモードに切り替えるモード切替処理部とを設け、前記メモリに当日巡視予定の送電鉄塔に付与されている識別子を記憶させ、前記モード切替処理部が、前記リーダライタによって読み出された前記識別子を、前記メモリに記憶されている前記当日巡視予定の送電鉄塔に付与されている識別子と比較することにより識別子が一致する送電鉄塔が存在するかどうかを判断し、存在しない場合には前記動作モードを前記巡視路モードに、存在する場合には前記動作モードを前記鉄塔モードに切り替えるようにすることとする。
【００１１】
このように、本発明によれば、リーダライタによって読み出された識別子が記憶している当日巡視予定の送電鉄塔に付与されている識別子と一致するかどうかに応じて、携帯情報端末の動作モードが自動的に切り替わる。このため、巡視員は煩雑な操作を強いられることなく、携帯情報端末への情報の入力や携帯情報端末を利用した情報の参照を行うことができ、巡視を効率よく円滑に行うことが可能となる。
【００１２】
本発明のうち請求項４に記載の発明は、請求項３に記載の送電鉄塔の巡視支援方法であって、前記モード切替処理部は、前記識別子を読み出すことができない場合に、前記巡視路モードと前記鉄塔モードのいずれかの選択を促す画面を前記表示装置に表示し、前記動作モードを、前記入力装置に対する操作入力によって選択された動作モードに切り替えることとする。
【００１３】
このように、巡視員が送電鉄塔から離れた場所に居る場合など、識別子を読み出すことができない場合には、表示装置に動作モードの選択を促す画面が表示され、巡視員は希望する適切な動作モードを手動で選択することができる。
【００１４】
本発明のうち請求項５に記載の発明は、送電鉄塔の巡視支援方法であって、ＣＰＵ、メモリ、入力装置、及び表示装置を有する携帯情報端末に、送電鉄塔に設けられている無線装置と無線ＬＡＮによる通信が可能な無線通信インタフェースと、当該携帯情報端末の動作モードを、前記表示装置に送電鉄塔に関する情報を表示するモードである鉄塔モード、又は前記表示装置に巡視路に関する情報を表示するモードである巡視路モードのうちのいずれかのモードに切り替えるモード切替処理部とを設け、前記メモリに当日巡視予定の送電鉄塔に設けられている無線装置の無線ＬＡＮの端末ＩＤを記憶させ、前記モード切替処理部が、前記無線装置から取得した端末ＩＤを、前記メモリに記憶されている前記当日巡視予定の送電鉄塔に付与されている識別子と比較し、前記端末ＩＤが一致する無線装置が存在する場合はさらに前記無線装置から受信した信号の強度を所定値と比較し、所定値未満である場合には当該携帯情報端末の前記動作モードを前記巡視路モードに、所定値以上である場合には当該携帯情報端末の動作モードを前記鉄塔モードに切り替えるようにすることとする。
【００１５】
このように、本発明によれば、無線装置から取得した端末ＩＤが、記憶している当日巡視予定の送電鉄塔に付与されている識別子と一致するかどうかに応じて、携帯情報端末の動作モードが自動的に切り替わる。このため、巡視員は煩雑な操作を強いられることなく、携帯情報端末への情報の入力や携帯情報端末を利用した情報の参照を行うことができ、巡視を効率よく円滑に行うことが可能となる。
【００１６】
本発明のうち請求項６に記載の発明は、請求項５に記載の送電鉄塔の巡視支援方法であって、前記モード切替処理部は、前記端末ＩＤを取得することができない場合に、前記巡視路モードと前記鉄塔モードのいずれかの選択を促す画面を前記表示装置に表示し、前記動作モードを、前記入力装置に対する操作入力によって選択された動作モードに切り替えることとする。
【００１７】
このように、巡視員が送電鉄塔から離れた場所に居る場合など、無線装置から端末ＩＤを取得することができない場合には、表示装置に動作モードの選択を促す画面が表示され、巡視員は希望する適切な動作モードを手動で選択することができる。
【発明の効果】
【００１８】
本発明によれば、送電鉄塔の巡視を効率よく円滑に行うことができる。
【発明を実施するための最良の形態】
【００１９】
以下、本発明の実施形態について図面とともに説明する。図１Ａに本発明の実施形態として説明する巡視支援システム１の構成を、図１Ｂに巡視支援システム１を用いて行われる巡視の様子をそれぞれ示している。図１Ａに示すように、山間部から市街地に渡って複数の送電鉄塔２が設けられている。各送電鉄塔２に設けてある無線装置１００によって無線通信方式のネットワーク（以下、無線通信ネットワーク１１と称する。）が構成されている。また市街地には有線通信方式のネットワーク（以下、有線通信ネットワーク１２と称する。）が敷設されている。そして無線通信ネットワーク１１と有線通信ネットワーク１２を含んで通信ネットワーク１０が構成されている。
【００２０】
各送電鉄塔２に設けられている無線装置１００は、マルチホップ方式による自律分散型のアドホック通信が可能な無線ＬＡＮのルータ装置である。無線通信ネットワーク１１は、各無線装置１００が互いにマルチホップ方式によるアドホック通信を行うことによって実現されている。一方、有線通信ネットワーク１２は、メタルなどの導体線や光ファイバなどの通信線を用いたネットワークであり、具体的には、インターネット網や電力会社が電力設備の管理目的で独自に敷設しているＩＰ網（IP:Internet Protocol）などである。
【００２１】
無線装置１００は、送電鉄塔２の巡視を行う巡視員３によって携帯される携帯情報端末（以下、ＰＤＡ２００（PDA:Personal Digital Assistance）と称する。）との間で無線通信を行う。ＰＤＡ２００には、巡視に関する情報を管理するためのハードウエア及びソフトウエアが実装されている。ＰＤＡ２００は、無線ＩＰ電話機の機能を有している。この機能によって、巡視員３は他の巡視員３によって携帯されるＰＤＡ２００や電力会社の営業所又は事業所等４の担当者と通信ネットワーク１０を介して双方向通話をすることができる。
【００２２】
有線通信ネットワーク１２には、電力会社の営業者又は事業所４等に設置されているサーバコンピュータ３００が接続している。サーバコンピュータ３００では、送電鉄塔２の巡視や各種電力業務の運営に用いられる様々なシステムが稼働している。ＰＤＡ２００とサーバコンピュータ３００とは、通信ネットワーク１０を介して巡視や各種電力業務に関するデータを互いに送受信することができる。またサーバコンピュータ３００は、呼制御サーバ３５０としての機能を有している。さらにサーバコンピュータ３００は、ＩＰ−ＰＢＸ４００（PBX:Private Branch eXchange）を介して公衆電話網５に接続している。
【００２３】
各送電鉄塔２には、送電鉄塔２ごとに固有の識別子を記憶しているアクティブ型のＩＣタグ６が設けられている。ＩＣタグ６に記憶されている上記識別子は、送電鉄塔２の特定する場合などに適宜ＰＤＡ２００によって読み出される。
【００２４】
図２Ａに無線装置１００のハードウエア構成を示している。同図に示すように、無線装置１００は、ＣＰＵ１１１、メモリ１１２、無線ＬＡＮによる無線通信を行う無線通信ＩＦ１１３（IF:Inter Face）及びアンテナ１１４、有線通信ネットワーク１２に接続するための有線通信ＩＦ１１５を有している。
【００２５】
図２Ｂに無線装置１００が有する機能を示している。なお、図２Ｂに示す各機能は、ＣＰＵ１１１がメモリ１１２に記憶されているプログラムを実行することにより実現されている。同図において、無線通信制御部１１６は、無線通信ＩＦ１１３によって他の無線装置１００とマルチホップ方式による自律分散型のアドホック通信を行うことにより前述の無線通信ネットワーク１１を構成する。また無線通信制御部１１６は、無線通信ＩＦ１１３によってＰＤＡ２００との間で無線通信を行う。なお、マルチホップ方式による自律分散型のアドホック通信のルーティングプロトコルについては、例えば、非特許文献１に記載されているＨｉ−ＴＯＲＡ（Temporally Ordered Routing Algorithm）、Ｈｉ−ＡＯＤＶ（Ad Hoc On-Demand Distance Vector Routing）、Ｈｉ−ＤＳＲ（Dynamic Source Routing）などを用いる。またマルチホップ方式による無線装置１００同士の通信可能距離は、隣接する送電鉄塔２間の距離を考慮して、例えば５００ｍ程度に設定される。
【００２６】
モバイルＩＰ制御部１１７は、ＰＤＡ２００の移動時の通信継続性をＩＰレベル（IP:Internet Protocol）で確保し、ＩＥＴＦ（Internet Engineering Task Force）に規定されるモバイルＩＰに関する機能（ＩＰｖ４のＨＡ（Home Agent）やＦＡ（Foreign Agent）の機能、又はＩＰｖ６のＨＡ（Home Agent）の機能）を提供する。例えば、モバイルＩＰ制御部１１７は、ＰＤＡ２００から送信されてくる位置登録メッセージ（ＨｏＡ（Home Address）とＣｏＡ（Care of Address）の対応づけ）の受信と、ＰＤＡ２００から送信されてくるＨｏＡ宛のパケットの位置登録時に保持したＣｏＡを宛先とするＩＰｉｎＩＰカプセル化やその送出を行う。
【００２７】
図３ＡにＰＤＡ２００のハードウエア構成を示している。ＰＤＡ２００は、ＣＰＵ２１１、メモリ２１２、ＧＰＳ衛星（GPS:Global Positioning System）から送られてくる電波を受信するＧＰＳ受信部２１３、現場の状況などを撮影するカメラ２１４、無線ＬＡＮによる通信を行う無線通信ＩＦ２１５及びアンテナ２１６、タッチパネルや操作ボタンなどから操作入力を受け付ける入力装置２１７、液晶ディスプレイや有機ＥＬディスプレイなどの表示装置２１８、ＩＰ電話に用いられるマイク２１９、スピーカ２２０、及びＩＣタグへのデータの書き込み／読み出しを行うリーダライタ２５１を有している。なお、無線通信ＩＦ２１５は、ＲＳＳＩ（Radio Signal Strength Indicator）回路を有し、これにより受信信号の電界強度を検出することができる。
【００２８】
図３Ｂに無線装置１００が有する機能を示している。なお、図３Ｂに示す各機能は、ＣＰＵ２１１がメモリ２１２に記憶されているプログラムを実行することにより実現されている。同図において、無線通信制御部２２１は、無線通信ＩＦ２１５によって無線装置１００と無線ＬＡＮによる無線通信を行う。
【００２９】
モバイルＩＰ制御部２２２は、モバイルＩＰに関する機能を提供し、例えばＦＡからのエージェント広告の受信（Agent Advertisement）及びエージェント広告からのＣｏＡの取得、位置登録メッセージのＦＡへの送出などを行う。
【００３０】
ＩＰ電話制御部２２３は、マイク２１９から入力されるアナログ音声信号を符号化する音声符号化、ＳＩＰ（Session Initiation Protocol）などの呼制御プロトコルに準拠した呼制御、暗号化などを行うセキュリティ制御、音声パケットの優先制御や同時通話数制限などにより通話品質を確保するＱｏＳ制御などＩＰ電話に関する各種の機能を提供する。
【００３１】
巡視記録システム２２４は、巡視区の登録や巡視計画の作成、巡視状況の登録など、巡視に関する各種の機能を提供する。巡視記録システム２２４は、通信ネットワーク１０を介して適宜サーバコンピュータ３００と通信して各種データの送受信を行う。
【００３２】
画像送信部２２５は、カメラ２１４によって撮影された画像や映像を、通信ネットワーク１０を介してサーバコンピュータ３００に送信する。これにより巡視員３は、巡視途中であっても問題箇所等の画像や映像を営業所又は事業所等４に迅速に送信することができる。
【００３３】
モード切替処理部２２６は、巡視記録システム２２４の動作モードの切り替えを行う。動作モードには、送電鉄塔２そのものの点検支援に関する画面を表示するモード（以下、鉄塔モードと称する。）と、巡視路の点検支援に関する画面を表示するモード（以下、巡視路モードと称する。）とがある。図１Ｂに示すように、モード切替処理部２２６は、ＰＤＡ２００と送電鉄塔２との間の位置関係に応じて巡視記録システム２２４の動作モードを自動的に切り替える。例えば、巡視員３が移動することによりＰＤＡ２００が符号７で示す円内に入った場合は、モード切替処理部２２６はＰＤＡ２００の動作モードを自動的に巡視路モードから鉄塔モードに切り替える。一方、逆に巡視員３が移動することによりＰＤＡ２００が符号７で示す円の外に出た場合は、モード切替処理部２２６はＰＤＡ２００の動作モードを自動的に鉄塔モードから巡視路モードに切り替える。
【００３４】
図４Ａにサーバコンピュータ３００のハードウエア構成を示している。サーバコンピュータ３００は、ＣＰＵ３１１、メモリ３１２、ハードディスク３１３、キーボードやマウスなどの入力装置３１４、液晶ディスプレイなどの表示装置３１５、有線通信ネットワークに接続するための通信インタフェース３１６を有している。
【００３５】
図４Ｂにサーバコンピュータ３００において動作する各種のシステムを示している。同図において、送電線巡視支援システム３２１は、送電線の巡視を支援するための様々な情報の管理や情報提供を行う。送電線設備管理システム３２２は、鉄塔、がいし、電線、架空地線などの各種送電設備の管理に関する情報の管理や情報提供を行う。作業調整支援システム３２３は、送電設備に関して行われる各種作業に関する情報の管理や情報提供を行う。
【００３６】
位置検索システム３２４は、ＰＤＡ２００ごとに付与されている識別子と、ＩＰ電話における位置登録情報との対応づけを呼制御サーバ３５０から取得して、取得した対応づけに基づいてＰＤＡ２００の現在位置を表示装置３１５に表示する。これにより営業所又は事業所等４の担当者は、巡視員３の現在位置をリアルタイムに把握することができる。
【００３７】
サーバコンピュータ３００には図４Ｃに示すデータベースが存在する。このうち巡視支援データベース３３１には、鉄塔情報（鉄塔名＝線路名＋線路番号、鉄塔の緯度／経度、鉄塔の所在地の住所、鉄塔ＩＤ、保守担当箇所など）、巡視路情報（鉄塔名＝線路名＋線路番号、巡視路ルートなど）、地図データ（鉄塔・巡視路があるエリアの縮尺  1/2,500、1/25,000、1/50,000，1/200,000の電子地図など）、過去の巡視結果（前回までの巡視結果、異常箇所、巡視者、巡視日など）、巡視区間情報（巡視区間名、鉄塔番号、鉄塔ＩＤ、保守担当箇所など）などの送電線巡視支援システム３２１の機能に関するデータが管理されている。
【００３８】
設備管理データベース３３２には、鉄塔情報（鉄塔名＝線路名＋線路番号、鉄塔の緯度／経度、鉄塔の所在地の住所、高さ、建設年月日、型式、鉄塔ＩＤ、電圧階級、保守担当箇所など）、がいし情報（種類、個数、アークホーン有無、差絶縁の有無など）、電線情報（電線種類、太さ、導体数、径間長など）、架空地線情報（電線種類、太さ、導体数、径間長など）などの送電線設備管理システム３２２の機能に関するデータが管理されている。
【００３９】
作業調整支援データベース３３３には、作業調整支援データベース３３３には、作業要求情報（作業要求番号、作業要求件名、作業要求日時、作業要求場所、作業要求内容、担当者名、連絡先、作業要求箇所名、停電範囲、供給支障電力、決定日時など）、設備情報（設備構成計画、発電機並列計画、潮流＝負荷電流など）などの作業調整支援システム３２３の機能に関するデータが管理されている。
【００４０】
鉄塔用地・送電線下地役権データベース３３４には、鉄塔用地情報（鉄塔名＝線路名＋線路番号、住所、面積、境界データ、鉄塔ＩＤ、保守担当箇所など）、線路経間情報（鉄塔名＝線路名＋線路番号、住所、径間長など）、鉄塔用地・送電線下地役権利者情報（権利者名、連絡先など）などのデータが管理されている。
【００４１】
巡視員３は、ＰＤＡ２００を利用して、サーバコンピュータ３００において管理されるこれらのデータベースの内容を通信ネットワーク１０を介してサーバコンピュータ３００にアクセスすることにより適宜参照することができ、また適宜データベースの内容を更新することができる。
【００４２】
＜送電線巡視支援システム＞
次にサーバコンピュータ３００によって提供される機能の一例として、送電線巡視支援システム３２１について具体的に説明する。送電線巡視支援システム３２１は、巡視員３による送電線の巡視に関する情報を、ＰＤＡ２００で動作する巡視記録システム２２４と連携することによって管理する。送電線巡視支援システム３２１は、設備管理データベース３３２に管理される情報（以下、設備情報と称する。）の修正、巡視区の登録、巡視計画の作成、通信ネットワーク１０を介したＰＤＡ２００への巡視データの送信、通信ネットワーク１０を介したＰＤＡ２００からの巡視結果の受信、通信ネットワーク１０を介したＰＤＡ２００への各種情報提供などの機能を提供する。一方、ＰＤＡ２００側の巡視記録システム２２４は、上記巡視データの受信、上記巡視結果のサーバコンピュータ３００への送信、上記情報の受信などの機能を提供する。
【００４３】
図５Ａは、送電線巡視支援システム３２１によってサーバコンピュータ３００の表示装置３１５に表示されるメニュー画面５１０である。同図に示すように、メニュー画面５１０の右側にはマスタメンテナンスに関するボタン群が設けられている。このうちの巡視パターンの作成５１３を選択すると、図５Ｂに示す巡視パターン作成画面５２０が表示装置３１５に表示される。
【００４４】
図５Ｂに示す巡視パターン作成画面５２０の巡視パターンの欄５２１には、設定済の巡視パターンが表示される。巡視パターンの欄５２１の下部にある３つのボタン５２２，５２３，５２４のそれぞれを選択することで、巡視パターンの追加や巡視パターン名の変更、巡視パターンの削除などを行うことができる。巡視パターン作成画面５２０の巡視記録項目の欄５２５には、巡視記録項目（機器区分、チェック箇所、チェック内容等）が一覧表示される。巡視記録項目の欄５２５では、各巡視パターンについての巡視記録項目を設定することができる。
【００４５】
図５Ａのメニュー画面５１０のマスタメンテナンスに関するボタンのうち、巡視記録項目の登録５１４を選択すると、図５Ｃに示す巡視記録項目の登録画面５３０が表示される。巡視記録項目の登録画面５３０では、巡視パターンごと設備ごとに、どのようなチェックが必要であるのかを登録することができる。具体的には送電線の欄５３１で送電線を選択し、支持物の欄５３２で支持物を選択し、巡視記録項目５３３に表示されている項目のうち不要な巡視記録項目に「×」を設定する。
【００４６】
巡視記録項目の登録画面５３０の巡視パターンの登録５３４を選択すると、図５Ｄに示す巡視パターン登録画面５４０が表示される。巡視パターン登録画面５４０では、設備に対する巡視パターン及び巡視記録項目の初期登録を行う。具体的には、送電線の欄５４１で送電線を選択し、設備の欄５４２で設備（複数指定可能）を選択し、巡視パターンの欄５４３で巡視パターンを選択した後、巡視パターンを登録５４４を選択すると、巡視記録項目の欄５４５に巡視記録項目が表示される。
【００４７】
図５Ａのメニュー画面のマスタメンテナンスに関するボタンのうち巡視区の登録５１５を選択すると、図５Ｅに示す巡視区の設定画面５５０が表示される。巡視区を新規に作成する場合には、巡視区の設定画面５５０の追加５５１を選択して巡視区名を登録し、設備一覧の欄５５２から送電線を、支持物の欄５５３から支持物を選択し、対象に追加５５４を選択する。巡視区の設定画面５５０では、巡視対象に別の送電線の設備を含めることもできる。また巡視順の変更を行うこともできる。巡視区から支持物を削除したい場合には、対象から削除５５５を選択する。巡視区に支持物を追加したい場合には、支持物の欄５５３ら支持物を選択し、対象に追加５５４を選択する。
【００４８】
図５Ａのメニュー画面５１０のマスタメンテナンスに関するボタンのうち、区間データ（自）の修正５１６を選択すると、図５Ｆに示す区間データ（自）の修正画面５６０が表示される。区間データ（自）の修正画面５６０の送電線の欄５６１で送電線を選択し、支持物の欄５６２で支持物を選択し、区間の欄５６３に区間を入力した後、登録５６４を選択すると巡視区間データを修正することができる。
【００４９】
図５Ａのメニュー画面５１０の巡視記録の作成・表示５１７を選択すると、図５Ｇに示す巡視記録の作成・表示画面５７０が表示される。巡視計画を作成する場合には、巡視区の欄５７１で巡視区を選択し、巡視日の欄５７２で巡視日を、巡視員の欄５７３で巡視員をそれぞれ入力し、巡視計画の作成５７４を選択する。作成された巡視計画は巡視履歴の欄５７５に計画として表示される。巡視計画や巡視記録を削除したい場合には、巡視区の欄５７１から削除したい巡視区を、巡視履歴の欄５７５から巡視履歴を、支持物の欄５７６から支持物を選択し、巡視記録の削除（巡視日単位）５７７を選択する。また過去の巡視履歴を参照又は修正したい場合には、巡視区の欄５７１から削除したい巡視区を、巡視履歴の欄５７５から巡視履歴を、支持物の欄５７６から支持物をそれぞれ選択すると、巡視項目の欄５７８に巡視結果が表示される。この時、巡視項目の欄５７８の内容を修正することもできる。
【００５０】
図５Ａのメニュー画面５１０の巡視用データの送信５１８を選択すると、図５Ｈに示す、ＰＤＡへのデータ送信画面５８０が表示される。このＰＤＡへのデータ送信画面５８０は、サーバコンピュータ３００において管理されているデータをＰＤＡ２００に転送する際に利用される。具体的には、巡視区の欄５８１から巡視区を、送信ファイルの欄５８２から送信するファイルを、ウェイポイントの欄５８３からウェイポイントを選択し、巡視用データの送信５８４を選択すると、選択された内容に対応するデータがＰＤＡ２００に転送される。
【００５１】
なお、サーバコンピュータ３００からＰＤＡ２００へのデータの転送は、ＰＤＡ２００の無線通信ＩＦ２１５とサーバコンピュータ３００の通信インタフェース３１６との間で直接に行うことができる。またデータ転送は、ＰＤＡ２００が無線装置１００と通信することにより、通信ネットワーク１０を介して行うこともできる。従って、例えば、巡視員３は、現場に（巡視対象となる送電鉄塔２の側など）居ながらにして、最新のデータをいつでもサーバコンピュータ３００から受信することができる。
【００５２】
図５Ａのメニュー画面５１０の巡視結果の取込み５１９を選択すると、図５Ｉに示すＰＤＡからのデータ受信画面５９０が表示される。このＰＤＡからのデータ受信画面５９０では、ＰＤＡ２００に格納されているデータをサーバコンピュータ３００に取込むことができる。サーバコンピュータ３００とＰＤＡ２００が通信可能に接続されている場合、ＰＤＡからのデータ受信画面５９０の巡視記録の欄５９１にＰＤＡ２００に格納されている巡視記録が、ウェイポイント（地点登録）の欄５９２にはＰＤＡ２００に格納されているウェイポイントが、トラック（移動軌跡）の欄５９３には移動軌跡がそれぞれ表示される。ＰＤＡからのデータ受信画面５９０におけるデータの取込みを選択すると、サーバコンピュータ３００には上記選択されたウェイポイント（地点登録）及びトラック（移動軌跡）がサーバコンピュータ３００に転送される。なお、ファイルの参照（ウェイポイント）５９４、ファイル参照（トラック）５９５を選択すると、サーバコンピュータ３００に格納されているファイルの内容を確認することができる。
【００５３】
ＰＤＡ２００からサーバコンピュータ３００へのデータの転送は、ＰＤＡ２００の無線通信ＩＦ２１５とサーバコンピュータ３００の通信インタフェース３１６との間で直接行うことができる他、ＰＤＡ２００が無線装置１００と通信することにより、通信ネットワーク１０を介して転送することもできる。このため、巡視員３は、現場において巡視記録をいつでもサーバコンピュータ３００に転送することができる。またサーバコンピュータ３００側に電力会社の社員等は巡視状況をリアルタイムに把握することができる。
【００５４】
＜巡視記録システム＞
次にＰＤＡ２００側で動作する巡視記録システム２２４の機能について具体的に説明する。図６Ａは巡視記録システム２２４によってＰＤＡ２００の表示装置２１８に表示される業務メニュー画面６００である。この画面の巡視記録６１０を選択すると、巡視記録システム２２４が起動し、図６Ｂに示す巡視区・設備の選択画面６２０が表示される。巡視区・設備の選択画面６２０において巡視区６２１を選択すると、設備一覧の表示欄６２２に選択された巡視区についての設備一覧及び点検日が表示される。表示されている設備一覧から設備の一つを選択すると、図６Ｃに示す巡視記録の入力画面６３０が表示される。巡視記録の入力画面６３０において、記録したい項目を選択し、株式会社に表示されているボタン６３２のうちの一つを選択すると、記録項目６３１の左側に巡視結果（○、△、×、□）が表示される。図６Ｃに表示されているツリーの第２階層６３３を選択し、下部に表示されているボタン６３２の一つを選択すると、第２階層６３３以下にある記録項目の全てに巡視結果（○、△、×、□）が一括登録される。
【００５５】
なお、巡視結果（○、△、×、□）として○×以外を選択した場合には、図６Ｄに示すように画面に文字入力欄６３４が表示され、記録項目に対応づけて情報を入力することができる。また巡視記録の入力画面６３０で記録項目を選択し、下部のコメント６３５を選択すると、図６Ｅに示すコメント入力画面６４０が表示される。コメント入力画面６４０のコメント入力欄６４１にコメントを入力してＯＫを選択すると、入力されたコメントがメモリ２１２に記録される。なお、これらの情報やコメントは、通信ネットワーク１０を介してＰＤＡ２００からサーバコンピュータ３００に転送することができる。
【００５６】
図６Ｃに示す巡視記録の入力画面６３０において、位置登録６３６を選択すると、図６Ｆに示すウェイポイント登録画面６５０が表示される。ウェイポイント登録画面６５０には、ＧＰＳ受信部２１３によって取得された現在位置情報（緯度、経度、高度）６５１、及び現在日時６５２が自動的に表示される。ウェイポイント登録画面６５０の名称の欄６５３には、巡視対象となる送電鉄塔２の名称が自動的に表示される。ＯＫ６５４を選択すると現在位置がウェイポイントとしてメモリ２１２に記憶される。
【００５７】
図６Ｃに示す巡視記録の入力画面６３０において、前回参照６３７を選択すると、図６Ｇに示す前回の巡視結果表示画面６６０が表示される。前回の巡視結果表示画面６６０のコピー６６１を選択すると、前回の記録結果を今回の入力用に利用することができる。また巡視記録の入力画面６３０においてコメントが登録されている点検項目（巡視結果が○以外のもの）を選択すると、図６Ｈに示すように、選択された点検項目について記録されているコメントが表示装置２１８に表示される。
【００５８】
図６Ａの業務メニュー画面６００において、地図６１１を選択すると、地図の表示を行うアプリケーションが起動して、図６Ｉに示す地図画面６７０が表示される。地図画面６７０には、ＰＤＡ２００が存在している現在位置が常に画面の中心に位置するように地図が表示される。地図画面６７０の上部には現在の緯度経度６７１、及び移動速度６７２が表示される。移動速度６７２はＧＰＳ受信部２１３から出力される情報に基づいて算出される。地図画面６７０の下部には、画面の横幅分の距離６７３が表示される。地図の縮尺を変更する場合には、図６Ａの業務メニュー画面６００の広域６１２、詳細６１３を選択する。地図を拡大／縮小表示する場合には、その下の倍率の欄６１４（１００％、１５０％、２００％）を選択する。
【００５９】
図６Ｉに示す地図画面６７０には、ウェイポイント、巡視ルート、巡視軌跡などを示す図案が表示されている。地図画面６７０に表示されるこれらの情報は、図６Ａの業務メニュー画面に用意されているメニューを選択して入力する。図６Ｊは、図６Ａの業務メニュー画面６００において鉄塔情報読込６１５が選択された場合にＰＤＡ２００の表示装置２１８に表示される鉄塔情報読込画面６８０である。この画面に一覧表示されている鉄塔情報６８１の一つを選択すると、その鉄塔情報６８１が地図画面６７０に表示される。
【００６０】
図６Ｋは、図６Ａの業務メニュー画面６００において巡視ルート読込６１６が選択された場合に表示装置２１８に表示される巡視ルート読込画面６８５である。この画面に一覧表示されている巡視ルート６８６の一つを選択すると、選択された巡視ルート６８６が地図画面６７０に表示される。図６Ｌは、地点（ウェイポイント）読込が選択された場合に表示装置２１８に表示される地点（ウェイポイント）読込画面６９０である。地点（ウェイポイント）読込画面６９０に一覧表示されているウェイポイント６９１の一つを選択すると、選択されたウェイポイントが地図画面に表示される。
【００６１】
このように、巡視員３は、ＰＤＡ２００を利用して、巡視に関する情報を記録したり参照したりすることができる。また必要な場合には、送電鉄塔２に設置されている無線装置１００を介してサーバコンピュータ３００にアクセスし、サーバコンピュータ３００にデータをアップロードしたり、サーバコンピュータ３００からデータをダウンロードしたりすることができる。このため、巡視員３は、営業所又は事業所等４の担当者にリアルタイムに巡視の状況を報告することができる。またサーバコンピュータ３００で管理されている最新の情報に基づいて巡視を遂行することができる。
【００６２】
＝＝動作モードの切替処理＝＝
前述したようにモード切替処理部２２６は、ＰＤＡ２００と送電鉄塔２との位置関係に応じてＰＤＡ２００の動作モードの切り替えを行う。ここではモード切替処理部２２６によって行われる動作モードの切り替え処理について説明する。図７Ａに巡視路モードでの動作中にＰＤＡ２００の表示装置２１８に表示される画面の一例を示している。同図に示す画面は巡視路モードにおける巡視記録の入力画面６３０であり、巡視路に関する巡視項目(巡視路の崩壊はないか、巡視路への風倒木・鋤入れ（除草）の必要性、巡視路橋は安全に通行できるか、巡視路道標はよいか等）が表示されている。また図７Ｂに鉄塔モードでの動作中に表示装置２１８に表示される画面の一例を示している。同図に示す画面は、鉄塔モードにおける巡視記録の入力画面６３０であり、線路全般（他工作物、接近樹木、巡視路等）、敷地・基礎（基礎等）に関する巡視項目が表示されている。
【００６３】
＜第１実施例＞
まず第１実施例として、ＧＰＳ受信部２１３の信号を利用した動作モードの切替処理について図８Ａに示すフローチャートとともに説明する。同図において、Ｓ７１１では、ＧＰＳ受信部２１３がＧＰＳ衛星から送られてくる信号（以下、ＧＰＳ信号という。）を受信している。続くＳ７１２では、モード切替処理部２２６が、ＧＰＳ信号に基づいて現在位置を算出している。Ｓ７１３では、モード切替処理部２２６が、現在位置と当日巡視予定の全ての送電鉄塔２の位置とを比較している。なお、当日巡視予定の全ての送電鉄塔２の位置は、巡視記録システム２２４によってサーバコンピュータ３００からダウンロードされてメモリ２１２に格納されている。
【００６４】
Ｓ７１４では、モード切替処理部２２６が、現在位置から所定距離内（例えば、緯度又は経度の差が２秒（６０ｍ）以内）に巡視予定の送電鉄塔２が存在するか否かを判断している。ここで現在位置から所定距離内に巡視予定の送電鉄塔２が存在しない場合には、モード切替処理部２２６は、巡視記録システム２２４に対し、巡視路モードで動作するように指示する。これにより巡視記録システム２２４の動作モードが巡視路モードに切り替わる（Ｓ７１５）。一方、現在位置から所定距離内に巡視予定の送電鉄塔２が存在する場合には、モード切替処理部２２６は、巡視記録システム２２４に対し、鉄塔モードで動作するように指示する。これにより巡視記録システム２２４の動作モードが鉄塔モードに切り替わる（Ｓ７１６）。
【００６５】
以上の第１実施例によれば、ＧＰＳ受信部２１３によって受信された信号に基づいて算出される現在位置と、記憶している送電鉄塔の位置との関係により、ＰＤＡ２００の動作モードが自動的に切り替わる。このため、巡視員３は、細かいボタン操作や入力操作など煩雑な作業をすることなく、ＰＤＡ２００への情報の入力やＰＤＡ２００を利用した情報の参照を行うことができ、巡視を効率よく円滑に行うことができる。
【００６６】
＜第２実施例＞
次に、第２実施例としてリーダライタ２５１を用いた動作モードの切替処理について説明する。図８Ｂにリーダライタ２５１を用いた動作モードの切替処理を説明するフローチャートを示している。まずＳ７２１では、モード切替処理部２２６が、リーダライタ２５１によってＩＣタグに記憶されている識別子が読み出されたかどうかを判断している。ここでＩＣタグに記憶されている識別子が読み出された場合には（Ｓ７２１：ＹＥＳ）、Ｓ７２２に進む。Ｓ７２２では、モード切替処理部２２６が、読み出した識別子を当日巡視予定の全ての送電鉄塔２の識別子と比較している。ここで当日巡視予定の全ての送電鉄塔２の識別子は、巡視記録システム２２４によってサーバコンピュータ３００からダウンロードされてメモリ２１２に格納されている。
【００６７】
Ｓ７２３では、モード切替処理部２２６が、識別子が一致する送電鉄塔２が存在するか否かを判断している。ここで識別子が一致する送電鉄塔２が存在しない場合には、モード切替処理部２２６は、巡視記録システム２２４に対し、巡視路モードで動作するように指示する。これにより巡視記録システム２２４の動作モードが巡視路モードに切り替わる（Ｓ７２４）。一方、識別子が一致する識別子の送電鉄塔２が存在する場合には、モード切替処理部２２６は、巡視記録システム２２４に対し、鉄塔モードで動作するように指示する。これにより巡視記録システム２２４の動作モードが鉄塔モードに切り替わる（Ｓ７２５）。
【００６８】
以上の第２実施例によれば、リーダライタ２５１によって読み出された識別子が記憶している当日巡視予定の送電鉄塔に付与されている識別子と一致するかどうかに応じて、ＰＤＡ２００の動作モードが自動的に切り替わる。このため、巡視員３は、細かいボタン操作や入力操作など煩雑な作業をすることなく、ＰＤＡ２００への情報の入力やＰＤＡ２００を利用した情報の参照を行うことができ、巡視を効率よく円滑に行うことができる。
【００６９】
＜第３実施例＞
次に、第３実施例として無線装置１００から受信した端末ＩＤを用いた動作モードの切替処理について説明する。図８Ｃに第３実施例の切替処理を説明するフローチャートを示している。まずＳ７３１では、モード切替処理部２２６が、無線通信制御部２２１が無線装置１００と通信可能な状態にあるかどうかを判断している。ここで通信可能な状態にある場合には（Ｓ７３１：ＹＥＳ）、Ｓ７３２に進む。Ｓ７３２では、モード切替処理部２２６が、無線装置１００から受信した端末ＩＤであるＳＳＩＤ（Service Set IDentifier）を当日巡視予定の全ての送電鉄塔に設けられている無線装置１００のＳＳＩＤと比較している。ここで当日巡視予定の全ての送電鉄塔２に設けられている無線装置１００のＳＳＩＤは、巡視記録システム２２４によってサーバコンピュータ３００からダウンロードされてメモリ２１２に格納されている。
【００７０】
Ｓ７３３では、モード切替処理部２２６が、ＳＳＩＤが一致する無線装置１００が存在するか否かを判断している。ここでＳＳＩＤが一致する無線装置１００が存在しない場合には、Ｓ７３１に戻る。一方、ＳＳＩＤが一致する無線装置１００が存在する場合には、Ｓ７３４に進む。
【００７１】
Ｓ７３４では、モード切替処理部２２６は、無線装置１００から受信した受信信号の電界強度が所定値以上かどうかを判断している。ここで受信信号の電界強度が所定値（例えば−２０ｄＢｍ）未満である場合には（Ｓ７３４：ＮＯ）、モード切替処理部２２６は、巡視記録システム２２４に対し、巡視路モードで動作するように指示する。これにより巡視記録システム２２４の動作モードが巡視路モードに切り替わる（Ｓ７３５）。一方、受信信号の強度が所定値以上である場合には（Ｓ７３４：ＹＥＳ）、モード切替処理部２２６は、巡視記録システム２２４に対し、鉄塔モードで動作するように指示する。これにより巡視記録システム２２４の動作モードが鉄塔モードに切り替わる（Ｓ７３６）。
【００７２】
以上の第３実施例によれば、無線装置１００から取得したＳＳＩＤが、記憶している当日巡視予定の送電鉄塔に付与されている識別子と一致するかどうかに応じて、ＰＤＡ２００の動作モードが自動的に切り替わる。このため、巡視員３は、細かいボタン操作や入力操作など煩雑な作業をすることなく、ＰＤＡ２００への情報の入力やＰＤＡ２００を利用した情報の参照を行うことができ、巡視を効率よく円滑に行うことができる。なお、Ｓ７３４において受信信号の電界強度と比較される所定値を変化させることにより、動作モードが切り替わる位置を調節することができる。
【００７３】
ところで、前述の第１実施例において、ＧＰＳ衛星から送られてくる電波を受信できない場合など、現在位置を算出することができない場合には、ＰＤＡ２００の表示装置２１８に例えば図９に示す動作モードの選択を促す画面を表示して、巡視員３が入力装置に対して行った操作入力により選択される動作モードに手動で切り替えるようにする。また第２実施例の場合や第３実施例の場合も同様に、ＩＣタグ６から識別子を読み出すことができない場合や端末ＩＤを取得することができない場合には、ＰＤＡ２００の表示装置２１８に例えば図９に示すような動作モードの選択を促す画面（動作モード選択画面９００と称する。）を表示して、巡視員３が入力装置に対して行った操作入力により選択される動作モードに手動で切り替えるようにする。このようにすれば、巡視員は希望する適切な動作モードを手動で選択することができる。
【００７４】
以上の実施形態の説明は本発明の理解を容易にするためのものであり、本発明を限定するものではない。本発明はその趣旨を逸脱することなく、変更、改良され得ると共に本発明にはその等価物が含まれることは勿論である。
【図面の簡単な説明】
【００７５】
【図１Ａ】本発明の一実施形態として説明する巡視支援システム１の構成を示す図である。
【図１Ｂ】本発明の一実施形態として説明する巡視支援システム１を用いて行われる巡視の様子を示す図である。
【図２Ａ】本発明の一実施形態として説明する無線装置１００のハードウエア構成を示す図である。
【図２Ｂ】本発明の一実施形態として説明する無線装置１００が有する各種の機能を示す図である。
【図３Ａ】本発明の一実施形態として説明するＰＤＡ２００のハードウエア構成を示す図である。
【図３Ｂ】本発明の一実施形態として説明するＰＤＡ２００が有する各種の機能を示す図である。
【図４Ａ】本発明の一実施形態として説明するサーバコンピュータ３００のハードウエア構成を示す図である。
【図４Ｂ】本発明の一実施形態として説明するサーバコンピュータ３００によって提供される各種の機能を示す図である。
【図４Ｃ】本発明の一実施形態として説明するサーバコンピュータ３００において管理される各種のデータベースを示す図である。
【図５Ａ】本発明の一実施形態として説明する送電線巡視支援システム３２１がサーバコンピュータ３００の表示装置３１５に表示するメニュー画面５１０を示す図である。
【図５Ｂ】本発明の一実施形態として説明する巡視パターン作成画面５２０を示す図である。
【図５Ｃ】本発明の一実施形態として説明する巡視記録項目の登録画面５３０を示す図である。
【図５Ｄ】本発明の一実施形態として説明する巡視パターン登録画面５４０を示す図である。
【図５Ｅ】本発明の一実施形態として説明する巡視区の設定画面５５０を示す図である。
【図５Ｆ】本発明の一実施形態として説明する区間データ（自）の修正画面５６０を示す図である。
【図５Ｇ】本発明の一実施形態として説明する巡視記録の作成・表示画面５７０を示す図である。
【図５Ｈ】本発明の一実施形態として説明するＰＤＡへのデータ送信画面５８０を示す図である。
【図５Ｉ】本発明の一実施形態として説明するＰＤＡからのデータ受信画面５９０を示す図である。
【図６Ａ】本発明の一実施形態として説明する巡視記録システム２２４によってＰＤＡ２００の表示装置２１８に表示される業務メニュー画面６００を示す図である。
【図６Ｂ】本発明の一実施形態として説明する巡視区・設備の選択画面６２０を示す図である。
【図６Ｃ】本発明の一実施形態として説明する巡視記録の入力画面６３０を示す図である。
【図６Ｄ】本発明の一実施形態として説明する巡視記録の入力画面６３０を示す図である。
【図６Ｅ】本発明の一実施形態として説明するコメント入力画面６４０を示す図である。
【図６Ｆ】本発明の一実施形態として説明するウェイポイント登録画面６５０を示す図である。
【図６Ｇ】本発明の一実施形態として説明する前回の巡視結果表示画面６６０を示す図である。
【図６Ｈ】本発明の一実施形態として説明する前回の巡視結果表示画面６６０を示す図である。
【図６Ｉ】本発明の一実施形態として説明する地図画面６７０を示す図である。
【図６Ｊ】本発明の一実施形態として説明する鉄塔情報読込画面６８０を示す図である。
【図６Ｋ】本発明の一実施形態として説明する巡視ルート読込画面６８５を示す図である。
【図６Ｌ】本発明の一実施形態として説明する点（ウェイポイント）読込画面６９０を示す図である。
【図７Ａ】本発明の一実施形態として説明する巡視路モードでの動作中にＰＤＡ２００の表示装置２１８に表示される画面を示す図である。
【図７Ｂ】本発明の一実施形態として説明する鉄塔モードでの動作中に表示装置２１８に表示される画面を示す図である。
【図８Ａ】本発明の一実施形態として説明するＧＰＳ受信部２１３の信号を利用した動作モードの切替処理を説明するフローチャートである。
【図８Ｂ】本発明の一実施形態として説明するリーダライタ２５１を用いた動作モードの切替処理を説明するフローチャートである。
【図８Ｃ】本発明の一実施形態として説明する無線装置１００から受信した端末ＩＤを用いた動作モードの切替処理を説明するフローチャートである。
【図９】本発明の一実施形態として説明する動作モード選択画面９００を示す図である。
【符号の説明】
【００７６】
１  巡視支援システム
２  送電鉄塔
３  巡視員
４  営業所又は事業所等
１０  通信ネットワーク
１１  無線通信ネットワーク
１２  有線通信ネットワーク
１００  無線装置
１１３  無線通信ＩＦ
１１５  有線通信ＩＦ
２００  ＰＤＡ
２１３  ＧＰＳ受信部
２１５  無線通信ＩＦ
３００  サーバコンピュータ
３２１  送電線巡視支援システム
３３１  巡視支援データベース
３３２  設備管理データベース
３５０  呼制御サーバ
４００  ＩＰ−ＰＢＸ
６３０  巡視記録の入力画面
【図１Ａ】
2008020614.tif 000003
【図１Ｂ】
2008020614.tif 000004
【図２Ａ】
2008020614.tif 000005
【図２Ｂ】
2008020614.tif 000006
【図３Ａ】
2008020614.tif 000007
【図３Ｂ】
2008020614.tif 000008
【図４Ａ】
2008020614.tif 000009
【図４Ｂ】
2008020614.tif 000010
【図４Ｃ】
2008020614.tif 000011
【図８Ａ】
2008020614.tif 000012
【図８Ｂ】
2008020614.tif 000013
【図８Ｃ】
2008020614.tif 000014
【図９】
2008020614.tif 000015
【図５Ａ】
2008020614.tif 000016
【図５Ｂ】
2008020614.tif 000017
【図５Ｃ】
2008020614.tif 000018
【図５Ｄ】
2008020614.tif 000019
【図５Ｅ】
2008020614.tif 000020
【図５Ｆ】
2008020614.tif 000021
【図５Ｇ】
2008020614.tif 000022
【図５Ｈ】
2008020614.tif 000023
【図５Ｉ】
2008020614.tif 000024
【図６Ａ】
2008020614.tif 000025
【図６Ｂ】
2008020614.tif 000026
【図６Ｃ】
2008020614.tif 000027
【図６Ｄ】
2008020614.tif 000028
【図６Ｅ】
2008020614.tif 000029
【図６Ｆ】
2008020614.tif 000030
【図６Ｇ】
2008020614.tif 000031
【図６Ｈ】
2008020614.tif 000032
【図６Ｉ】
2008020614.tif 000033
【図６Ｊ】
2008020614.tif 000034
【図６Ｋ】
2008020614.tif 000035
【図６Ｌ】
2008020614.tif 000036
【図７Ａ】
2008020614.tif 000037
【図７Ｂ】
2008020614.tif 000038